(57)【要約】【課題】従来より簡略化されたガス処理装置を提供する。【解決手段】  ガス処理装置は、空気中の有害成分を除去する。ガス処理装置は、ガス処理装置外の空気が導入されるリアクタと、リアクタ内にラジカルを生成する電極部を備えている。電極部は、高電位側電極が電源に接続されているとともに、低電位側電極が接地されている。このガス処理装置では、高電位側電極と低電位側電極の間の距離をａ１（ｍ）とし、高電位側電極の電圧上昇率（ｄＶ／ｄｔ）をａ２としたときに、電源が、下記式（１）を満足するように電極間に電圧を印加する。      ａ２／ａ１＞１×１０１１・・・（１）【選択図】図１
2019198573.tif 000002
【特許請求の範囲】
【請求項１】
空気中の有害成分を除去するガス処理装置であって、
ガス処理装置外の空気が導入されるリアクタと、
高電位側電極が電源に接続されているとともに低電位側電極が接地されており、リアクタ内にラジカルを生成する電極部と、
を備えており、
高電位側電極と低電位側電極の間の距離をａ１（ｍ）とし、高電位側電極の電圧上昇率（ｄＶ／ｄｔ）をａ２としたときに、前記電源が、下記式（１）を満足するように電極間に電圧を印加するガス処理装置。
ａ２／ａ１＞１×１０１１・・・（１）
【請求項２】
前記電源は、下記式（２）を満足するように電極間に電圧を印加する請求項１に記載のガス処理装置。
ａ２／ａ１＞１×１０１４・・・（２）
【請求項３】
リアクタ内における空気の移動方向において、電極部より下流に、オゾン分解能を有する触媒が設けられている請求項１または２に記載のガス処理装置。
【発明の詳細な説明】
【技術分野】
【０００１】
本明細書は、ガス処理装置に関する技術を開示する。
【背景技術】
【０００２】
空気中の有害成分（有害ガス）を除去し、空気を浄化するガス処理装置が知られている。特許文献１には、コロナ放電によってラジカルを生成し、生成したラジカルを利用して有害ガスを分解するガス処理装置が開示されている。なお、特許文献１では、有害ガスは、ラジカルによって完全に分解されない。特許文献１では、ラジカルを利用して有害ガスを半励起状態にし、半励起状態の有害ガスを触媒に接触させ、有害ガスの分解を行う。すなわち、特許文献１は、触媒で有害ガスを効率的に分解するために、ラジカルを利用して前処理を行っている。
【先行技術文献】
【特許文献】
【０００３】
【特許文献１】特開２０００−２７９４９２号公報
【発明の概要】
【発明が解決しようとする課題】
【０００４】
特許文献１は、安全性及びエネルギー効率を考慮し、ラジカルによって半励起状態にした有害ガスを触媒に接触させるという方法を採用している。すなわち、特許文献１は、安全性等を考慮し、有害ガスの除去を、ラジカルと触媒を用いて行っている。特許文献１は、生成したラジカルによって有害ガスを完全に分解させないため、有害ガスの分解過程において副生成物も生じる。特許文献１のガス処理装置では、分解されずに残存した有害ガスに加え、分解過程で生じた副生成物も触媒で分解することが必要である。そのため、特許文献１のガス処理装置は、大型の触媒が必要となり、装置全体のサイズが大型化する。有害ガスの分解に寄与するラジカルを効率よく生成することができれば、触媒に達する空気に含まれる有害ガス及び副生成物の量が減少し、それらを分解するための触媒を小型化（あるいは、省略）することができ、ひいては装置を小型化することができる。本明細書は、有害ガスの分解に寄与するラジカルを効率よく生成することが可能なガス処理装置を提供することを目的とする。
【課題を解決するための手段】
【０００５】
本明細書で開示するガス処理装置は、空気中の有害成分を除去することができる。そのガス処理装置は、ガス処理装置外の空気が導入されるリアクタと、リアクタ内にラジカルを生成する電極部を備えていてよい。電極部は、高電位側電極が電源に接続されているとともに、低電位側電極が接地されていてよい。このガス処理装置では、高電位側電極と低電位側電極の間の距離をａ１（ｍ）とし、高電位側電極の電圧上昇率（ｄＶ／ｄｔ）をａ２としたときに、電源が、下記式（１）を満足するように電極間に電圧を印加してよい。
ａ２／ａ１＞１×１０１１・・・（１）
【０００６】
上記ガス処理装置では、電極間の電位差を急峻に変化（上昇）させる。具体的には、電極間の電圧変化の傾き（電圧上昇率）が、正弦波で電圧を印加したときの電圧上昇率よりも大きい。その結果、電極部の電界上昇率（（ｄ／ｄｔ）・（Ｖ／ｘ））が、正弦波で電圧を印加したときの電界上昇率より大きくなる。なお、「ｘ」は、電極間の距離、すなわち、放電ギャップ長である。本発明者の研究により、電極部の電界上昇率を大きくすると、印加した電圧に対する有害成分の処理量が増加することが判明した。すなわち、電界上昇率を大きくすることにより、電圧の大きさは変えることなく、多くの有害成分を分解することができるという知見が得られた。上記ガス処理装置は、この知見に基づくものであり、電極に対して正弦波よりも電圧変化の傾きが大きな波形で電圧を印加するものである。すなわち、上記ガス処理装置は、高い電界上昇率を用いた誘電体バリア放電によってストリーマ放電を発生させることにより、有害ガスの分解に寄与するラジカルを効率よく生成することができる。なお、上記式（１）は、従来よりも有害成分の分解効率（消費電力に対する有害成分の分解量の割合）が明確に向上する範囲を規定したものである。
【０００７】
上記ガス処理装置では、電源は、下記式（２）を満足するように電極間に電圧を印加してよい。
ａ２／ａ１＞１×１０１４・・・（２）
【０００８】
上記式（２）は、電極に対して所謂パルス波で電圧を印加するものに相当する。上記式（２）を満足することにより、有害成分の分解効率をさらに向上させることができる。
【０００９】
上記ガス処理装置では、リアクタ内における空気の移動方向において、電極部より下流に、オゾン分解能を有する触媒が設けられていてよい。ラジカル生成に伴って生じたオゾンを除去することができる。なお、電極部の下方に触媒を配置するという技術は公知である。しかしながら、公知技術では、触媒は、有害成分とオゾンの双方を分解するために配置される。すなわち、従来のガス処理装置では、触媒は、有害成分を分解するための触媒成分とオゾンを分解するための触媒成分を備えていることが必要である。そのため、従来のガス処理装置では、大型の触媒が必要である。それに対して、上記ガス処理装置では、有害成分自体はラジカルによって分解されるので、触媒はオゾン分解能を有していれば足り、小型の触媒でよい。
【図面の簡単な説明】
【００１０】
【図１】ガス処理装置の概略図を示す。
【図２】図１のII−II線に沿った断面図を示す。
【図３】ガス処理装置の変形例を示す。
【図４】ガス処理装置の変形例を示す。
【図５】電界上昇率とラジカル生成量の関係を説明するための図を示す。
【図６】実施例のまとめを示す。
【発明を実施するための形態】
【００１１】
図１及び図２を参照し、ガス処理装置１００について説明する。ガス処理装置１００は、空気中の有害成分を分解し、空気から有害成分を除去することができる。例えば、ガス処理装置１００は、揮発性有機化合物（ＶＯＣ），菌類，野菜等から生じるエチレンガス等の空気中に含まれる有害成分を分解・除去するために用いられる。
【００１２】
ガス処理装置１００は、リアクタ（反応容器）４と、電極部３０と、導電管１０を備えている。なお、詳細は後述するが、電極部３０の一部を、導電管１０の一部が兼ねている。リアクタ４は、円筒状であり、絶縁性（誘電性）を有している。特に限定されないが、リアクタ４の材料として、アルミナ等の金属酸化物、ホウケイ酸ガラス等の耐熱ガラスが挙げられる。
【００１３】
導電管１０は、円筒状であり、リアクタ４内を通過している。導電管１０は、両端がリアクタ４から突出した状態で、フランジ８（８ａ，８ｂ）によってリアクタ４に固定されている。導電管１０の一端は空気導入部１０ａを構成しており、他端は空気排出部１０ｂを構成している。また、導電管１０の中間部１０ｃは、正極電極２６（電極部３０の一部）を構成している。導電管１０の材料として、ステンレス鋼，アルミニウム（Ａｌ），銅（Ｃｕ），炭素（Ｃ），チタン（Ｔｉ），白金（Ｐｔ）等を用いることができる。導電管１０（正極電極２６）には、電源１６が接続されている。
【００１４】
中間部１０ｃに対向するように、リアクタ４の外側に負極電極２８が設けられている。負極電極２８は、テープ状の金属であり、リアクタ４の外周に巻き付けられている。負極電極２８の材料として、正極電極２６と同様に、ステンレス鋼，アルミニウム，銅（，炭素，チタン，白金等を用いることができる。負極電極２８は、接地されている。正極電極２６（導電管１０の中間部１０ｃ）と負極電極２８によって、電極部（電極対）３０が構成されている。正極電極２６と負極電極２８は、誘電体（リアクタ４）を介して対向している。正極電極２６と負極電極２８の間の距離は、０．２ｍｍ〜１０ｍｍの間で調整される。なお、正極電極２６は高電位側電極の一例であり、負極電極２８は低電位側電極の一例である。
【００１５】
中間部１０ｃの一端側（空気導入部１０ａ側）に、開孔１２が設けられている。また、中間部１０ｃの他端側（空気排出部１０ｂ側）に、開孔１４が設けられている。換言すると、導電管１０が伸びる方向において、開孔１２と開孔１４の間が導電管１０の中間部１０ｃである。なお、開孔１２，１４は、導電管１０の周方向に、間欠的に、複数設けられている。また、開孔１２，１４は、導電管１０が伸びる方向において、フランジ８ａと８ｂの間に設けられている。そのため、開孔１２，１４は、導電管１０の内側の空間とリアクタ４内の空間２０を連通している。導電管１０が伸びる方向において、開孔１２，１４の間（すなわち、中間部１０ｃ）には、封止材６が充填されている。そのため、空気は、中間部１０ｃ内を移動することができない。封止材６として、シリコンゴム，フッ素ゴム等を用いることができる。なお、導電管１０の開孔１４より他端側に、触媒２が配置されている。触媒２については後述する。
【００１６】
導電管１０は、送風機（図示省略）に接続されている。そのため、送風機を駆動すると、ガス処理装置１００外の空気が、空気導入部１０ａから導電管１０内に導入される。上記したように、中間部１０ｃには封止材６が充填されている。そのため、空気導入部１０ａから導入された空気は、開孔１２を通じて導電管１０の外部（リアクタ４内の空間２０）に移動する。空間２０に移動した空気は、電極部３０（電極２６，２８の間）を通過し、開孔１４を通じて導電管１０内に戻る。導電管１０内に戻った空気は、触媒２を通過した後、空気排出部１０ｂからガス処理装置１００外に排出される。ガス処理装置１００は、有害成分を含む空気を空気導入部１０ａからリアクタ４内に導入し、リアクタ４内で空気中の有害成分を除去し、清浄な空気を空気排出部１０ｂから排出する。
【００１７】
ガス処理装置１００では、送風機を駆動するとともに、電極２６，２８間（電極部３０）に電圧を印加し、空間２０にラジカルを発生させる。空間２０内に存在する有害成分は、ラジカルと反応して分解する。空間２０内に空気を流通させることにより、空気中の有害成分を除去し、空気を清浄化することができる。
【００１８】
ガス処理装置１００では、電源１６は、１×１０１１（Ｖ/（ｍ・ｓ））以上の電界上昇率で電極２６，２８間に電圧を印加する。電界上昇率は、電極２６，２８間の電圧上昇率（電圧を印加する際の電圧波形の傾き：ｄＶ／ｄｔ）と電極２６，２８間の距離（ｍ）に依存する。具体的には、電界上昇率は、電極２６，２８間の電圧上昇率を、電極２６，２８間の距離で除した値である。電界上昇率をαとし、電極２６，２８間の距離をａ１とし、電極２６，２８間の電圧上昇率をａ２としたときに、電圧上昇率αは下記式（３）で示される。
α＝ａ２／ａ１・・・（３）
【００１９】
ガス処理装置１００では、電源１６は、下記式（１）を満足するように電極２６，２８間に電圧を印加する。
ａ２／ａ１＞１×１０１１・・・（１）
【００２０】
詳細は後述するが、典型的に、電圧間に印加する電圧を大きくすると、電極間に発生する高エネルギーの電子が増加し、多くのラジカルが生成される。すなわち、電圧間に高電圧を印加すると、多くのラジカルを生成することができる。しかしながら、上記式（１）を満足するように電圧間に電圧を印加すると、印加する電圧を大きくすることなく、多くのラジカルを生成することができる。生成されるラジカルが増えるに従い、より多くの有害成分を分解することができる。ガス処理装置１００は、上記式（１）を満足するように電極２６，２８間に電圧を印加することにより、電極２６，２８間に印加する電圧を大きくすることなく、空気中の多くの有害成分を分解・除去することができる。なお、正弦波で電圧を印加した場合、電界上昇率はおよそ５×１０１０（Ｖ/（ｍ・ｓ））以下となる。上記式（１）を満足するように電極２６，２８間に電圧を印加する場合、その電圧波形は、明らかに正弦波と異なり、方形波、あるいは、パルス波である。
【００２１】
ここで、図３及び図４を参照し、ガス処理装置１００の変形例について説明する。図３及び図４は、各々ガス処理装置２００，３００の断面を示しており、ガス処理装置１００における図２の断面に相当する。
【００２２】
上記したように、ガス処理装置１００では、リアクタ４が円筒状であり、リアクタ４の外周に負極電極２８が巻きつけられており、リアクタ４に空気を導入するための導電管１０が正極電極２６を兼ねている。それに対して、図３に示すように、ガス処理装置２００では、リアクタ２０４が角筒状であり、棒状の正極電極２２６及び負極電極２２８によって電極部２３０が構成されている。ガス処理装置２００では、正極電極２２６と負極電極２２８の双方が、リアクタ２０４内に挿入されている。なお、ガス処理装置２００では、電極２２６，２２８の少なくとも一方が、誘電体（図示省略）で被覆されている。すなわち、ガス処理装置２００においても、正極電極２２６と負極電極２２８は、誘電体を介して対向している。
【００２３】
ガス処理装置２００では、電極２２６，２２８が、リアクタ２０４に空気を導入する通路（ガス処理装置１００の導電管１０に相当）とは別に設けられている。そのため、ガス処理装置２００は、ガス処理装置１００と比較して、リアクタ２０４内のデッドスペースを小さくすることができる（図２と比較参照）。換言すると、ガス処理装置２００は、ガス処理装置１００と比較して、サイズ（外形サイズ）を小さくすることができる。また、ガス処理装置２００の場合、電極２２６，２２８の形状が、リアクタ２０４の形状に依存しない。そのため、リアクタ２０４内の容積（空間２０の体積）に依存することなく、電極２２６，２２８間の距離を調整することができる。なお、ガス処理装置２００の場合、リアクタ２０４の材料は誘電体でなくてよく、例えば導電体（金属等）であってもよい。
【００２４】
図４に示すように、ガス処理装置３００では、リアクタ３０４の外面に板状の正極電極３２６が取り付けられており、棒状の負極電極３２８がリアクタ３０４内に挿入されている。リアクタ３０４の材料は誘電体であり、ガス処理装置１００のリアクタ４と同様、金属酸化物，耐熱ガラス等を用いることができる。ガス処理装置３００においても、負極電極３２８の位置を調整することにより、リアクタ３０４内の空間２０の体積に依存することなく、電極３２６，３２８間の距離を調整することができる。なお、電極３２６が負極電極であり、電極３２８が正極電極であってもよい。このことは、ガス処理装置１００にも適用される。すなわち、ガス処理装置１００において、電極２６が負極電極であり、電極２８が正極電極であってもよい（図１，２参照）。また、ガス処理装置３００において、板状の正極電極３２６と棒状の負極電極３２８の双方をリアクタ３０４内に挿入してもよい。この場合、電極３２６，３２８の間に誘電体が介在していればよい。
【００２５】
以上のように、本明細書で開示するガス処理装置では、リアクタの形状、電極の形状及び配置は、必要に応じて、種々に変更することができる。但し、電極間の電界強度を大きくするため、正極電極よりも負極電極のサイズを小さくすることが好ましい。本明細書で開示するガス処理装置において重要なことは、１×１０１１（Ｖ/（ｍ・ｓ））以上の電界上昇率で電極間（正極電極−負極電極間）に電圧を印加することであり、１×１０１１（Ｖ/（ｍ・ｓ））以上の電界上昇率で電極間に電圧を印加することができれば、ガス処理装置の形態は特に限定されない。
【００２６】
図１に戻り、触媒２について説明する。上記したように、ガス処理装置１００では、電極２６，２８間に電圧を印加して空間２０にラジカルを発生させ、ラジカルによって有害成分を分解する。ラジカル生成に伴い、空間２０にオゾンが生じることがある。ガス処理装置１００では、リアクタ４内における空気の移動方向（図１の矢印参照）において、電極部３０より下流に、オゾン分解能を有する触媒２を配置している。電極部３０（正極電極２６と負極電極２８が対向している部分）と触媒２は接触しておらず、両者の間には隙間１８が設けられている。空気が隙間１８を移動する間に、空気中の有害成分の分解が進む。特に限定されないが、隙間１８の距離（電極部３０と触媒２の距離）は、１〜３０ｃｍに調整される。
【００２７】
図５を参照し、電極間に生じる電界と、空間（電極間の空間）の電子エネルギーの関係について説明する。図５の縦軸は特定の空間内に存在する電子数を示し、横軸は電子エネルギー（ｅＶ）を示している。図５（ａ）は、電界上昇率を変えることなく（電圧波形を変えることなく）、電極間に生じる電界を強くした結果を示している（曲線４０→曲線４２）。図５（ｂ）は、電極間に生じる電界を変えることなく、電界上昇率を大きくした結果を示している（曲線４０→曲線４４）。なお、グラフの横軸に示している「ｔ」は、空気分子の電子励起が起こる閾値を示しており、電子エネルギーが閾値「ｔ」を超えると、空気分子の励起が起こる。
【００２８】
図５(ａ)に示すように、電極間に生じる電界を強くすると、各電子エネルギーに対応する電子数の分布はほぼ変化せず、電子数が全体的に増える（曲線４０→曲線４２）。すなわち、特定の空間における電子エネルギーの総量が増える。その結果、電極間に生じる電界を強くすると、閾値「ｔ」を超える電子数も増える。すなわち、電極間の距離を変えずに電極間に印加する電圧を大きくすると、多くのラジカルが生じ、空気中の有害成分の分解量が増加する。しかしながら、電極間に生じる電界を強くしても、電子励起に寄与する電子と寄与しない電子との比は変わらないので電子励起のエネルギー効率は変わらない。
【００２９】
また、図５（ｂ）に示すように、電界上昇率を大きくすると、各電子エネルギーに対応する電子数の分布が変化する（曲線４０→曲線４４）。その結果、電界上昇率を大きくすると、高エネルギーの電子が増加し、閾値「ｔ」を超える電子数が増える。電界上昇率を大きくすると、電子が電界で加速されて分子を励起し、二次電子が連鎖的に増えてプラズマとなる。プラズマが電極間に広がると、空間のインピーダンスが低下し，電界がかからなくなる。分子の電子励起からプラズマが両電極間に広がるまでの時間をΔｔとすると、Δｔの間に上昇する電圧ΔＶは，ΔＶ=(ｄＶ／ｄｔ)Δｔとなる。そのため、ｄＶ／ｄｔが大きいと電圧ΔＶが大きくなる分、高い電界で電子が加速されるので高エネルギー電子が増える。すなわち、電界上昇率(（ｄ／ｄｔ）・（Ｖ／ｘ），ｘ：放電ギャップ長)を大きくすることにより、特定の空間における電子エネルギーの総量は変わらず、高エネルギーの電子数が増え、多くのラジカルが生じ、空気中の有害成分の分解量が増加する。そのため、上記式（１）を満足するように電極間に電圧を印加すると、印加する電圧を大きくすることなく（電子エネルギーの総量を変えることなく）、高エネルギーの電子数が増え、多くのラジカルを生成することができる。
【００３０】
（実施例）
以下、ガス処理装置１００を用いて、有害成分の一例であるエチレンガスの分解を行った結果について説明する。実施例では、リアクタ４として、長さ４０ｍｍ，外径２０ｍｍ，内径１７ｍｍ，厚み１．５ｍｍのホウケイ酸ガラスを用いた。また、導電管１０の外径は１６ｍｍとした。すなわち、正極電極２６と負極電極２８の間の距離を０．５ｍｍとした。なお、負極電極２８の長さは１２０ｍｍとした。このガス処理装置１００に対して、窒素８０ｗｔ％，酸素２０ｗｔ％のキャリアガスを用いて、エチレン２００ｐｐｍを流量３Ｌ/分で導入した。
【００３１】
実施例１〜５は、電極２６，２８間に、周波数５００ｐｐｓのパルス波で、８〜１５ｋＶで電圧を印加した。実施例６〜１０は、電極２６，２８間に、周波数５００Ｈｚの矩形波（方形波）で、８〜１５ｋＶで電圧を印加した。比較例１〜５は、電極２６，２８間に、周波数５００Ｈｚの正弦波で、８〜１５ｋＶで電圧を印加した。各々の試料について、ＦＴＩＲ（フーリエ変換赤外分光光度計）を用いて空気排出部１０ｂのエチレン濃度を測定し、エチレン分解量を算出した。また、算出したエチレン分解量を用いて、入力したエネルギー（電圧）に対するエチレン分解効率を算出した。なお、エチレン分解効率は、下記式（４）に基づいて算出した。
η＝６０×ｑ×Ａ×Ｍ／（ｎ×Ｐ）・・・（４）
上記式（４）において、「η」はエチレン分解効率，「ｑ」はガス流量（ｍ３／ｈ），「Ａ」はエチレン分解量（ｐｐｍ），「Ｍ」はエチレン分子量（分子量：２８），「ｎ」はエチレン１モルあたりの体積（ｍ３），「Ｐ」は消費電力（ｋＷ）を表す。
【００３２】
図６に、電極２６，２８間に印加した電圧（電圧波高値），電圧上昇率（ｄＶ／ｄｔ），電界上昇率(（ｄ／ｄｔ）・（Ｖ／ｘ）)及びエチレン分解効率を示す。図６に示すように、矩形波又はパルス波で電圧を印加すると（実施例１〜１０）、正弦波で電圧を印加（比較例１−５）するより電圧上昇率が大きくなり、その結果電界上昇率が大きくなっている。特に、パルス波で電圧を印加することにより、電界上昇率が大きくなることが確認された。また、矩形波又はパルス派で電圧を印加すると、加えるエネルギー（電圧）の増加に伴い、エチレン分解効率が上昇する傾向が確認された。一方、正弦波で電圧を印加すると（比較例１〜５）、加えるエネルギーの増加（電圧の増加）に伴いエチレン分解量が増加するものの、エチレン分解効率はほぼ一定であることが確認された。なお、本実施例では、矩形波及びパルス波の双方において、１４ｋＶ以上の電圧を印加することにより、エチレン分解効率が大きく向上することが確認された。
【００３３】
本実施例より、上記式（１）を満足するように電圧を印加することにより、エチレン分解効率が向上することが確認された。なお、パルス波で電圧を印加したときに、エチレン分解効率が顕著に上昇することが確認された（実施例１〜５）。そのため、電極２６，２８間の距離をａ１とし、電極２６，２８間の電圧上昇率をａ２としたときに、下記式（２）を満足することがより好ましいことが確認された。
ａ２／ａ１＞１×１０１４・・・（２）
【００３４】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００３５】
４：リアクタ
１６：電源
２６：高電位側電極
２８：低電位側電極
３０：電極部
１００：ガス処理装置
【図１】
2019198573.tif 000003
【図２】
2019198573.tif 000004
【図３】
2019198573.tif 000005
【図４】
2019198573.tif 000006
【図５】
2019198573.tif 000007
【図６】
2019198573.tif 000008